(57)【要約】【課題】表示面のデザイン性を向上できる表示装置を提供する。【解決手段】表示装置１は、液晶表示パネル２２と、開口部１２を有するフレーム（バイザ１０）とを備える。液晶表示パネル２２は、開口部１２内に配置され、開口部１２より小さい表示領域Ａ１と、表示領域Ａ１と開口部１２の縁１４との間に配置され、表示領域Ａ１に隣接する非表示領域Ａ２と、表示領域Ａ１と非表示領域Ａ２に配置された複数の画素電極と、複数の画素電極に向かい合う共通電極と、複数の画素電極と共通電極に重なる液晶層と、を有する。非表示領域Ａ２において、各画素電極と共通電極との電位差は、液晶層の液晶分子の配向特性に基づいて規定された閾値電圧より小さい。【選択図】図１
2020194109.tif 000002
【特許請求の範囲】
【請求項１】
液晶表示パネルと、
開口部を有するフレームと、
を備え、
前記液晶表示パネルは、
前記開口部内に配置され、当該開口部より小さい表示領域と、
前記表示領域と前記開口部の縁との間に配置され、当該表示領域に隣接する非表示領域と、
前記表示領域と前記非表示領域に配置された複数の画素電極と、
前記複数の画素電極に向かい合う共通電極と、
前記複数の画素電極と前記共通電極に重なる液晶層と、
を有し、
前記非表示領域において、各画素電極と前記共通電極との電位差は、前記液晶層の液晶分子の配向特性に基づいて規定された閾値電圧より小さい、
ことを特徴とする表示装置。
【請求項２】
前記液晶表示パネルは、
第１方向に延びる複数のゲート配線と、
前記第１方向に交差する第２方向に延びる複数のソース配線と、
ゲート配線、ソース配線および画素電極にそれぞれが接続される複数のスイッチング素子と、
を有し、
制御回路により、ゲート配線とソース配線に制御信号が供給され、前記非表示領域において、各画素電極と前記共通電極との電位差が前記閾値電圧より小さく制御される、
ことを特徴とする請求項１に記載の表示装置。
【請求項３】
前記制御回路により、（１）前記表示領域のうち前記非表示領域に隣接する領域において、各画素電極と前記共通電極との電位差は前記閾値電圧より小さい第１電圧に制御され、（２）前記非表示領域において、各画素電極と前記共通電極との電位差は前記第１電圧より小さい第２電圧に制御される、
ことを特徴とする請求項２に記載の表示装置。
【請求項４】
前記制御回路により、前記表示領域のうち前記非表示領域に隣接する領域、および、当該非表示領域において、各画素電極と前記共通電極との電位差は前記閾値電圧より小さい所定電圧に制御される、
ことを特徴とする請求項２に記載の表示装置。
【請求項５】
前記液晶表示パネルは、
前記共通電極に共通電圧を供給する共通配線を有し、
前記非表示領域の各画素電極は、導電性部材により前記共通配線に接続されている、  ことを特徴とする請求項１に記載の表示装置。
【請求項６】
前記非表示領域の各画素電極は、導電性部材により前記共通電極に接続されている、  ことを特徴とする請求項１に記載の表示装置。
【請求項７】
前記液晶表示パネルは、
第１方向に延びる複数のゲート配線と、
前記第１方向に交差する第２方向に延びる複数のソース配線と、
ゲート配線、ソース配線、および、前記表示領域の画素電極にそれぞれが接続される複数のスイッチング素子と、
を有し、
前記非表示領域にはスイッチング素子が非配置である、
ことを特徴とする請求項５または６に記載の表示装置。
【請求項８】
前記液晶表示パネルは、
第１方向に延びる複数のゲート配線と、
前記第１方向に交差する第２方向に延びる複数のソース配線と、
ゲート配線、ソース配線および画素電極にそれぞれが接続される複数のスイッチング素子と、
を有し、
制御回路により、前記非表示領域の各画素電極に接続されるスイッチング素子が非導通に制御される、
ことを特徴とする請求項１に記載の表示装置。
【請求項９】
前記液晶表示パネルは、
第１方向に延びる複数のゲート配線と、
前記第１方向に交差する第２方向に延びる複数のソース配線と、
ゲート配線、ソース配線および画素電極にそれぞれが接続される複数のスイッチング素子と、
を有し、
前記非表示領域は、前記表示領域に隣接する第１領域と、前記第１領域と前記開口部の縁との間の第２領域とを含み、
制御回路により、ゲート配線とソース配線に制御信号が供給され、（１）前記第１領域の各画素電極と前記共通電極との電位差が前記閾値電圧より小さく制御され、（２）前記第２領域の各画素電極に接続されるスイッチング素子が非導通に制御される、
ことを特徴とする請求項１に記載の表示装置。
【請求項１０】
前記制御回路により、（１）前記表示領域のうち前記非表示領域に隣接する領域において、各画素電極と前記共通電極との電位差は前記閾値電圧より小さい第１電圧に制御され、（２）前記第１領域において、各画素電極と前記共通電極との電位差は前記第１電圧より小さい第２電圧に制御される、
ことを特徴とする請求項９に記載の表示装置。
【請求項１１】
液晶表示パネルと、
開口部を有するフレームと、
を備え、
前記液晶表示パネルは、
前記開口部内に配置され、当該開口部より小さい表示領域と、
前記表示領域と前記開口部の縁との間に配置され、当該表示領域に隣接する非表示領域と、
前記表示領域と前記非表示領域に配置された複数の画素電極と、
前記複数の画素電極に向かい合う共通電極と、
前記複数の画素電極と前記共通電極に重なる液晶層と、
前記表示領域に複数の画素開口が配置され、前記非表示領域に画素開口が非配置であるブラックマトリクス層と、前記ブラックマトリクス層の前記複数の画素開口内に配置された複数の着色層と、を有するカラーフィルタと、
を有し、
前記非表示領域は、前記表示領域に隣接する第１領域と、前記第１領域と前記開口部の縁との間の第２領域とを含み、
前記第１領域において、各画素電極と前記共通電極との電位差は、前記液晶層の液晶分子の配向特性に基づいて規定された閾値電圧より小さい、
ことを特徴とする表示装置。
【請求項１２】
液晶表示パネルと、
開口部を有するフレームと、
を備え、
前記液晶表示パネルは、
前記開口部内に配置され、当該開口部より小さい表示領域と、
前記表示領域と前記開口部の縁との間に配置され、当該表示領域に隣接する非表示領域と、
前記表示領域と前記非表示領域に配置された複数の画素電極と、
前記複数の画素電極に向かい合う共通電極と、
前記複数の画素電極と前記共通電極に重なる液晶層と、
を有し、
前記表示領域において前記共通電極と画素電極のうち前記液晶層側に位置にするものにスリットが配置され、
前記非表示領域において前記共通電極と画素電極にスリットが非配置である、
ことを特徴とする表示装置。
【請求項１３】
前記液晶表示パネルは、
第１方向に延びる複数のゲート配線と、
前記第１方向に交差する第２方向に延びる複数のソース配線と、
ゲート配線、ソース配線および画素電極にそれぞれが接続される複数のスイッチング素子と、
を有し、
前記非表示領域は、前記表示領域に隣接する第１領域と、前記第１領域と前記開口部の縁との間の第２領域とを含み、
制御回路により、ゲート配線とソース配線に制御信号が供給され、前記第１領域において、各画素電極と前記共通電極との電位差が、前記液晶層の液晶分子の配向特性に基づいて規定された閾値電圧より小さく制御される、
ことを特徴とする請求項１２に記載の表示装置。
【請求項１４】
前記液晶表示パネルを照明する複数の光源を備え、
前記制御回路により、前記表示領域を照明する光源が点灯され、前記非表示領域を照明する光源が消灯される、
ことを特徴とする請求項２から４、８から１０のいずれかに記載の表示装置。
【請求項１５】
前記液晶表示パネルの前記表示領域を照明する複数の光源を備え、
光源は、前記非表示領域を照明する位置に非配置である、
ことを特徴とする請求項１から１３のいずれかに記載の表示装置。
【発明の詳細な説明】
【技術分野】
【０００１】
本開示は、フレームの開口部より小さい表示領域を有する表示装置に関する。
【背景技術】
【０００２】
液晶パネルの前面側に保護パネルが配置され、保護パネルの裏面における液晶パネルの表示面に対応しない位置に遮光層が形成された車両用表示装置が知られている（たとえば特許文献１参照）。液晶パネルは、車両情報画像と、黒い背景画像とを含む計器画像を表示する。
【先行技術文献】
【特許文献】
【０００３】
【特許文献１】特開２０１６−４９９３４号公報
【発明の概要】
【発明が解決しようとする課題】
【０００４】
表示装置において、表示面のデザイン性を向上することが求められている。
【０００５】
本開示はこうした状況に鑑みてなされたものであり、その目的は、表示面のデザイン性を向上できる表示装置を提供することにある。
【課題を解決するための手段】
【０００６】
上記課題を解決するために、本開示のある態様の表示装置は、液晶表示パネルと、開口部を有するフレームと、を備える。液晶表示パネルは、開口部内に配置され、当該開口部より小さい表示領域と、表示領域と開口部の縁との間に配置され、当該表示領域に隣接する非表示領域と、表示領域と非表示領域に配置された複数の画素電極と、複数の画素電極に向かい合う共通電極と、複数の画素電極と共通電極に重なる液晶層と、を有する。非表示領域において、各画素電極と共通電極との電位差は、液晶層の液晶分子の配向特性に基づいて規定された閾値電圧より小さい。
【０００７】
本開示の別の態様もまた、表示装置である。この装置は、液晶表示パネルと、開口部を有するフレームと、を備える。液晶表示パネルは、開口部内に配置され、当該開口部より小さい表示領域と、表示領域と開口部の縁との間に配置され、当該表示領域に隣接する非表示領域と、表示領域と非表示領域に配置された複数の画素電極と、複数の画素電極に向かい合う共通電極と、複数の画素電極と共通電極に重なる液晶層と、表示領域に複数の画素開口が配置され、非表示領域に画素開口が非配置であるブラックマトリクス層と、ブラックマトリクス層の複数の画素開口内に配置された複数の着色層と、を有するカラーフィルタと、を有する。非表示領域は、表示領域に隣接する第１領域と、第１領域と開口部の縁との間の第２領域とを含む。第１領域において、各画素電極と共通電極との電位差は、液晶層の液晶分子の配向特性に基づいて規定された閾値電圧より小さい。
【０００８】
本開示のさらに別の態様もまた、表示装置である。この装置は、液晶表示パネルと、開口部を有するフレームと、を備える。液晶表示パネルは、開口部内に配置され、当該開口部より小さい表示領域と、表示領域と開口部の縁との間に配置され、当該表示領域に隣接する非表示領域と、表示領域と非表示領域に配置された複数の画素電極と、複数の画素電極に向かい合う共通電極と、複数の画素電極と共通電極に重なる液晶層と、を有する。表示領域において共通電極と画素電極のうち液晶層側に位置にするものにスリットが配置され、非表示領域において共通電極と画素電極にスリットが非配置である。
【発明の効果】
【０００９】
本開示によれば、表示装置において表示面のデザイン性を向上できる。
【図面の簡単な説明】
【００１０】
【図１】第１の実施の形態に係る表示装置の正面図である。
【図２】図１の表示モジュールの正面図である。
【図３】図２の表示モジュールのＡ−Ａ線に沿った縦断面図である。
【図４】図３の薄膜トランジスタ基板の平面図である。
【図５】図５（ａ）は、図４の薄膜トランジスタ基板の領域Ａ１０を拡大した平面図であり、図５（ｂ）は、図５（ａ）のＢ−Ｂ線に沿った縦断面図である。
【図６】図１の表示装置における画素の透過率と、画素電極と共通電極との電位差との関係を示す図である。
【図７】図２の表示モジュール２０の機能ブロック図である。
【図８】図８（ａ）は、第２の実施の形態に係る薄膜トランジスタ基板の一部の平面図であり、図８（ｂ）は、図８（ａ）のＣ−Ｃ線に沿った縦断面図である。
【図９】図９（ａ）は、第２の実施の形態の他の例に係る薄膜トランジスタ基板の一部の平面図であり、図９（ｂ）は、図９（ａ）のＤ−Ｄ線に沿った縦断面図である。
【図１０】第２の実施の形態に係る表示モジュールの縦断面図である。
【図１１】第４の実施の形態に係る表示装置の正面図である。
【図１２】図１２（ａ）は、第５の実施の形態に係る薄膜トランジスタ基板の一部の平面図であり、図１２（ｂ）は、図１２（ａ）のＥ−Ｅ線に沿った縦断面図である。
【図１３】図１３（ａ）は、第６の実施の形態に係るカラーフィルタの一部の平面図であり、図１３（ｂ）は、図１３（ａ）のＦ−Ｆ線に沿った縦断面図である。
【図１４】第７の実施の形態に係る薄膜トランジスタ基板の一部の平面図である。
【発明を実施するための形態】
【００１１】
（本開示の基礎となった知見）
実施の形態を具体的に説明する前に、基礎となった知見を説明する。液晶表示パネルで構成された車載メータでは、フレームとして機能するバイザの開口部から液晶表示パネルの表示領域が視認される。表示領域にはメータ画像が表示され、メータ画像の背景部分は黒色で表示される。表示領域が開口部より小さい場合、表示領域とフレームの開口部の縁との間の隙間領域に既述のように遮光層を配置するか、または、開口部の全体を覆う暗色のスモーク板を液晶表示パネルの前面側に配置して、隙間領域も黒色に視認されるように構成する。しかし、これらの構成では、表示領域の背景部分の黒色と、隙間領域の黒色との間で色差が生じるとともに、表示領域と隙間領域との境界に段差が存在するように視認されやすい。そのため、車載メータの見栄えが悪化する可能性があるという課題を本発明者は発見した。この課題を解決するために、本開示に係る表示装置は以下のように構成される。
【００１２】
以下、各図面に示される同一または同等の構成要素、部材、工程には、同一の符号を付するものとし、適宜重複した説明は省略する。また、各図面における部材の寸法は、理解を容易にするために適宜拡大、縮小して示される。
【００１３】
（第１の実施の形態）
図１は、第１の実施の形態に係る表示装置１の正面図である。図２は、図１の表示モジュール２０の正面図である。図３は、図２の表示モジュール２０のＡ−Ａ線に沿った縦断面図である。
【００１４】
表示装置１は、たとえば、自動車などの車両に搭載される車載メータである。表示装置１は、バイザ１０と、表示モジュール２０とを備える。
【００１５】
バイザ１０は、メータバイザとも呼ばれ、表示モジュール２０の観察者側に配置され、表示モジュール２０の表示面２０ａへの太陽光の入射を抑制する。バイザ１０は、曲線を含む非矩形状の開口部１２を有する。開口部１２から表示モジュール２０の表示面２０ａが露出する。バイザ１０は、フレームともいえる。表示モジュール２０および表示面２０ａは、開口部１２より大きい。
【００１６】
表示面２０ａは、画像が表示される表示領域Ａ１と、画像が非表示であり黒色に視認される非表示領域Ａ２とを含む。表示面２０ａの開口部１２内に位置する領域は、表示領域Ａ１と非表示領域Ａ２に区画される。画像は、表示装置１が搭載される車両の速度、走行距離、シフトポジションなどの車両情報を示すメータ画像である。表示領域Ａ１において、メータ画像の背景は黒色で表示される。表示領域Ａ１は、略矩形であり、開口部１２内に配置され、開口部１２より小さい。表示領域Ａ１の形状は任意であり、多角形、楕円形、半円形などでもよい。非表示領域Ａ２は、表示領域Ａ１と開口部１２の縁１４との間に配置され、表示領域Ａ１に隣接する。非表示領域Ａ２の形状は、表示領域Ａ１の形状、表示領域Ａ１の開口部１２内の位置、開口部１２の形状に応じて定まる。非表示領域Ａ２は、表示領域Ａ１の周囲を囲んでもよい。
【００１７】
表示モジュール２０の形状は、平面視で非矩形の六角形であるが、特に限定されず、たとえば矩形でもよいし、曲線を含んでもよい。図３に示すように、表示モジュール２０は、液晶表示パネル２２、光学フィルム２４、バックライト２６、および、ケース２８を有する。以下の説明では、表示モジュール２０の厚さ方向のうち、バックライト２６に対して液晶表示パネル２２が位置する側を前面側とし、その逆を背面側とする。
【００１８】
液晶表示パネル２２は、バックライト２６からの光の透過または遮断を画素毎に制御し、表示面２０ａに画像を表示するように構成されている。液晶表示パネル２２の詳細は後述する。
【００１９】
バックライト２６は、光学フィルム２４を介して液晶表示パネル２２に向かい合う。バックライト２６は、光学フィルム２４を介して液晶表示パネル２２を背面側から面状に照明する面光源として機能する。バックライト２６は直下型であるが、エッジ型であってもよい。バックライト２６は、複数の光源３０と、基板３２とを有する。
【００２０】
複数の光源３０は、基板３２の前面側にマトリクス状に配置され、液晶表示パネル２２を照明する。一部の光源３０は、表示領域Ａ１に重なる位置に配置されて表示領域Ａ１を照明可能であり、残りの光源３０は、非表示領域Ａ２に重なる位置に配置されて非表示領域Ａ２を照明可能である。
【００２１】
光学フィルム２４は、液晶表示パネル２２とバックライト２６との間に配置され、複数の光源３０から出射された光を拡散させて、拡散光を液晶表示パネル２２に出射する。
【００２２】
ケース２８は、支持フレームとも呼ぶことができ、前面側に開口を有する略箱型であり、液晶表示パネル２２、光学フィルム２４、バックライト２６を収容する。
【００２３】
液晶表示パネル２２は、ＦＦＳ（Fringe Field Switching）方式のパネルであるが、特に限定されない。液晶表示パネル２２は、表示領域Ａ１と非表示領域Ａ２のそれぞれにおいて同一の構成を有する。液晶表示パネル２２は、下偏光板４０、薄膜トランジスタ基板４２、液晶層４４、カラーフィルタ４６、上偏光板４８および保護層４９を有する。液晶表示パネル２２は、図示を省略した配向膜などの周知の構成も含む。
【００２４】
下偏光板４０は、液晶表示パネル２２における背面側に配置されている。薄膜トランジスタ基板４２は、下偏光板４０の前面側に配置されている。液晶層４４は、薄膜トランジスタ基板４２の前面側に配置されている。カラーフィルタ４６は、液晶層４４の前面側に配置され、表示領域Ａ１と非表示領域Ａ２のそれぞれにおいて、複数の画素に１対１に対応して配置される複数の着色層（図示せず）を有する。上偏光板４８は、カラーフィルタ４６の前面側に配置されている。保護層４９は、上偏光板４８の前面側に配置されている。
【００２５】
図４は、図３の薄膜トランジスタ基板４２の平面図である。薄膜トランジスタ基板４２は、第１方向ｄ１に延びる複数のゲート配線Ｇ１と、第１方向ｄ１に交差する第２方向ｄ２に延びる複数のソース配線Ｓ１とを有する。ゲート配線Ｇ１とソース配線Ｓ１は、表示領域Ａ１と非表示領域Ａ２に配置される。図４では、一部のゲート配線Ｇ１とソース配線Ｓ１を示す。
【００２６】
図５（ａ）は、図４の薄膜トランジスタ基板４２の領域Ａ１０を拡大した平面図であり、図５（ｂ）は、図５（ａ）のＢ−Ｂ線に沿った縦断面図である。領域Ａ１０は、表示領域Ａ１と非表示領域Ａ２の境界を含む。
【００２７】
薄膜トランジスタ基板４２は、複数のスイッチング素子６０、複数の画素電極６２、共通電極６４、複数の共通配線６６を有する。
【００２８】
複数のスイッチング素子６０は、薄膜トランジスタ（ＴＦＴ）であり、ゲート配線Ｇ１、ソース配線Ｓ１および画素電極６２にそれぞれが接続される。
【００２９】
表示領域Ａ１と非表示領域Ａ２のそれぞれにおいて、隣り合うゲート配線Ｇ１および共通配線６６と、隣り合う２つのソース配線Ｓ１とで囲まれる領域に画素Ｐ１が構成される。複数の画素Ｐ１は、マトリクス状に配置される。表示領域Ａ１の画素Ｐ１は、非表示領域Ａ２の画素Ｐ１と同一の構成および同一のサイズを有する。各画素Ｐ１には、スイッチング素子６０と、画素電極６２とが配置される。
【００３０】
図５（ｂ）に示すように、ゲート配線Ｇ１は、絶縁性基板７０上に配置される。ゲート絶縁膜７１は、ゲート配線Ｇ１および絶縁性基板７０上に配置される。
【００３１】
半導体層であるチャネル層７２は、ゲート絶縁膜７１上に配置される。チャネル層７２は、ゲート絶縁膜７１を介してゲート配線Ｇ１の一部に重なって配置される。ソース配線Ｓ１から分岐したソース電極７３は、チャネル層７２上に配置される。
【００３２】
ドレイン電極７４は、ソース電極７３に隣り合い、チャネル層７２上に配置される。画素電極６２は、ドレイン電極７４の端部に接続され、ゲート絶縁膜７１上に配置される。スイッチング素子６０は、ゲート配線Ｇ１の一部であるゲート電極、ゲート絶縁膜７１、ソース電極７３、ドレイン電極７４を有する。保護膜７５は、ゲート絶縁膜７１、画素電極６２、チャネル層７２、ソース電極７３、ドレイン電極７４およびソース配線Ｓ１の上に配置される。共通電極６４は、保護膜７５上に配置され、薄膜トランジスタ基板４２の表示領域Ａ１と非表示領域Ａ２のほぼ全面を覆う。
【００３３】
図５（ａ）では、共通電極６４を破線で示す。共通電極６４には画素電極６２と重なる領域に複数のスリットＳＬ１が配置される。スリットＳＬ１のエッジ部において画素電極６２と共通電極６４との間に生じるフリンジ電界により、薄膜トランジスタ基板４２に積層された液晶層４４の液晶分子が駆動される。
【００３４】
なお、画素電極６２は、共通電極６４より液晶層４４側に配置されてもよい。この場合、画素電極６２にスリットが配置される。
【００３５】
共通配線６６は、ゲート配線Ｇ１と略平行に配置され、コンタクトＣ１を介して共通電極６４に接続されている。共通配線６６は、ゲート配線Ｇ１と略直交して配置されてもよい。共通配線６６は、共通電極６４の電気抵抗を低減する。
【００３６】
図６は、図１の表示装置１における画素Ｐ１の透過率と、画素電極６２と共通電極６４との電位差との関係を示す。電位差が０Ｖから大きくなり、液晶層４４の閾値電圧Ｖｔｈ以上になると、液晶層４４の液晶分子は初期配向状態から回転を始め、透過率が増加する。閾値電圧Ｖｔｈは、透過率が所定値と等しくなる電圧であり、液晶層４４の液晶分子の配向特性に基づいて規定される。所定値は、液晶層４４の最大透過率に基づいて規定され、たとえば、最大透過率の１０％などである。透過率が所定値より小さい場合、黒色が視認される。つまり、画素電極６２と共通電極６４との電位差が閾値電圧Ｖｔｈより小さい場合、黒色が表示される。このように、液晶表示パネル２２は、液晶分子に電圧が印加されていない場合に黒色を表示し、液晶分子に電圧が印加されている場合に白色を表示する、いわゆるノーマリーブラック液晶表示パネルである。
【００３７】
図７は、図２の表示モジュール２０の機能ブロック図である。表示モジュール２０は、制御回路５０を有する。制御回路５０は、車両のマイコンなどによる制御にもとづいて、液晶表示パネル２２とバックライト２６を制御する。
【００３８】
次に、以上の構成による表示装置１の全体的な動作を説明する。
制御回路５０は、制御信号であるソース信号を複数のソース配線Ｓ１に順次供給し、制御信号であるゲート信号を複数のゲート配線Ｇ１に順次供給し、共通電圧を共通電極６４に供給する。
【００３９】
制御回路５０は、表示領域Ａ１において、複数のスイッチング素子６０を順次導通させて、各画素電極６２と共通電極６４との電位差を制御し、メータ画像を表示させる。制御回路５０は、表示領域Ａ１のうちメータ画像の背景である背景領域において、各画素電極６２と共通電極６４との電位差を閾値電圧Ｖｔｈより小さい所定電圧に制御し、黒色の背景を表示させる。背景領域は、表示領域Ａ１に隣接する領域を含む。所定電圧は、所望の透過率の黒色が得られるように実験やシミュレーションにより適宜定めることができる。
【００４０】
制御回路５０は、非表示領域Ａ２において、複数のスイッチング素子６０を順次導通させて、各画素電極６２と共通電極６４との電位差を閾値電圧Ｖｔｈより小さく制御し、非表示領域Ａ２を黒色に制御する。具体的には、制御回路５０は、非表示領域Ａ２において、各画素電極６２と共通電極６４との電位差を所定電圧に制御する。これにより、表示領域Ａ１のうち非表示領域Ａ２に隣接する背景領域、および、非表示領域Ａ２では、透過率が実質的に等しくなり、実質的に同じ黒色に視認される。
【００４１】
制御回路５０は、表示領域Ａ１と非表示領域Ａ２のサイズを制御可能である。制御回路５０は、表示領域Ａ１を照明する光源３０を点灯し、非表示領域Ａ２を照明する光源３０を消灯する。たとえば図１等の例と比較し、表示領域Ａ１のサイズが大きく変更され、非表示領域Ａ２のサイズが小さく変更された場合、点灯する光源３０の数が増える。これにより、より大きなメータ画像を表示できる。また図１等の例と比較し、表示領域Ａ１のサイズが小さく変更され、非表示領域Ａ２のサイズが大きく変更された場合、点灯する光源３０の数が減る。これにより、消費電力を低減できる。
【００４２】
本実施の形態によれば、表示領域Ａ１の画素Ｐ１と非表示領域Ａ２の画素Ｐ１は同一構成かつ同一のサイズであり、表示領域Ａ１のうちの背景領域と非表示領域Ａ２は黒色で表示されるので、非表示領域Ａ２と背景領域との間の黒色の色差を低減できる。また、表示領域Ａ１と非表示領域Ａ２は１つの液晶表示パネル２２内に存在し、これらの領域の境界に視認されうる物理的な段差が存在しない。そのため、シームレスな黒表示が可能となり、デザイン性を向上できる。
【００４３】
また、表示領域Ａ１と開口部１２の縁１４との間の隙間の視認を防ぐための遮光層や前面板が必要ないため、構成部材の数を減らすことができ、組み立て工程数を削減できる。よって、歩留まりを向上できる。
【００４４】
また、前面板を配置した場合、前面板による透過率の低下を補うためにバックライトの輝度を高める必要がある。前面板を配置した場合と比較して、バックライト２６の輝度を低くできるので、消費電力と発熱を低減できる。
【００４５】
さらに、表示面２０ａ内の各画素Ｐ１が同一の構成を有するため、制御回路５０により表示領域Ａ１と非表示領域Ａ２の割合を制御できる。よって、デザイン性をさらに高めることもできる。
【００４６】
なお、制御回路５０は、非表示領域Ａ２において、各画素電極６２と共通電極６４との電位差を所定電圧より小さい電圧に制御してもよい。所定電圧より小さい電圧は、実質的にゼロでもよい。この場合、制御回路５０は、非表示領域Ａ２の各画素電極６２の電圧を共通電圧に制御する。非表示領域Ａ２の画素Ｐ１の透過率は、表示領域Ａ１のうち非表示領域Ａ２に隣接する背景領域の画素Ｐ１の透過率より低くなるが、非表示領域Ａ２と背景領域との間の黒色の色差は、十分に小さい。この変形例では、表示装置１の構成の自由度を向上できる。
【００４７】
（第２の実施の形態）
第２の実施の形態では、非表示領域Ａ２の画素電極６２を共通電極６４または共通配線６６に電気的に接続する。以下、第１の実施の形態との相違点を中心に説明する。
【００４８】
図８（ａ）は、第２の実施の形態に係る薄膜トランジスタ基板４２の一部の平面図であり、図８（ｂ）は、図８（ａ）のＣ−Ｃ線に沿った縦断面図である。図８（ａ）と後述する図９（ａ）は、図４の領域Ａ１０の拡大図である。共通配線６６は、非表示領域Ａ２の各画素電極６２に重なる分岐部を有する。非表示領域Ａ２の各画素電極６２は、コンタクトである導電性部材８０により共通配線６６の分岐部に電気的に接続されている。
【００４９】
制御回路５０は、表示領域Ａ１にメータ画像を表示させる場合、非表示領域Ａ２の各画素電極６２に接続されるスイッチング素子６０を非導通に制御する。たとえば、制御回路５０は、非表示領域Ａ２のスイッチング素子６０のみに接続されるゲート配線Ｇ１と、非表示領域Ａ２のスイッチング素子６０のみに接続されるソース配線Ｓ１を電気的にフローティング状態に制御する。
【００５０】
非表示領域Ａ２において、各画素電極６２と共通電極６４との電位差は、ゼロになる。よって、非表示領域Ａ２の画素Ｐ１の透過率は実質的にゼロになり、非表示領域Ａ２は黒色で視認される。
【００５１】
図９（ａ）は、第２の実施の形態の他の例に係る薄膜トランジスタ基板４２の一部の平面図であり、図９（ｂ）は、図９（ａ）のＤ−Ｄ線に沿った縦断面図である。非表示領域Ａ２の各画素電極６２は、コンタクトである導電性部材８０により共通電極６４に電気的に接続されている。この構成でも非表示領域Ａ２は黒色で視認される。
【００５２】
図１０は、第２の実施の形態に係る表示モジュール２０の縦断面図である。バックライト２６の光源３０は、非表示領域Ａ２を照明する位置に非配置である。本実施の形態では非表示領域Ａ２のサイズは固定であるため、表示領域Ａ１を照明する光源３０に限って設ければよい。これにより、非表示領域Ａ２を照明する光源も配置する場合と比較して、光源３０の数を削減でき、消費電力も低減できる。
【００５３】
本実施の形態によれば、非表示領域Ａ２のスイッチング素子６０が導通しないため、第１の実施の形態と比較して消費電力を低減できる。制御を簡素化することもできる。
【００５４】
（第３の実施の形態）
第３の実施の形態では、非表示領域Ａ２のスイッチング素子６０を非導通に制御することが第１の実施の形態と異なる。以下、第１の実施の形態との相違点を中心に説明する。
【００５５】
制御回路５０は、表示領域Ａ１にメータ画像を表示させる場合、非表示領域Ａ２の各画素電極６２に接続されるスイッチング素子６０を非導通に制御する。たとえば、制御回路５０は、非表示領域Ａ２のスイッチング素子６０のみに接続されるゲート配線Ｇ１と、非表示領域Ａ２のスイッチング素子６０のみに接続されるソース配線Ｓ１を電気的にフローティング状態に制御する。これにより、非表示領域Ａ２において、各画素電極６２は電気的にフローティング状態となり、各画素電極６２には電圧が印加されないため、各画素電極６２と共通電極６４との電位差は閾値電圧Ｖｔｈより小さくなり、各画素Ｐ１は黒色になる。
【００５６】
本実施の形態によれば、非表示領域Ａ２のスイッチング素子６０が導通しないため、第１の実施の形態と比較して消費電力を低減できる。制御を簡素化することもできる。
【００５７】
（第４の実施の形態）
第４の実施の形態では、非表示領域Ａ２において、表示領域Ａ１に隣接する領域のスイッチング素子６０に限り導通させることが第３の実施の形態と異なる。以下、第３の実施の形態との相違点を中心に説明する。
【００５８】
図１１は、第４の実施の形態に係る表示装置１の正面図である。非表示領域Ａ２は、表示領域Ａ１に隣接する第１領域Ａ２１と、第１領域Ａ２１と開口部１２の縁１４との間の第２領域Ａ２２とに区画される。
【００５９】
制御回路５０は、表示領域Ａ１にメータ画像を表示させる場合、第１領域Ａ２１の各画素電極６２と共通電極６４との電位差を閾値電圧Ｖｔｈより小さく制御する。制御回路５０は、第１領域Ａ２１において、各画素電極６２と共通電極６４との電位差を、第１の実施の形態で述べた所定電圧に制御してもよい。この場合、制御回路５０は、第１領域Ａ２１の各画素電極６２の電圧を、表示領域Ａ１のうち非表示領域Ａ２に隣接する領域の画素電極６２の電圧と実質的に等しくしてもよい。
【００６０】
また、制御回路５０は、表示領域Ａ１にメータ画像を表示させる場合、第２領域Ａ２２の各画素電極６２に接続されるスイッチング素子６０を非導通に制御する。たとえば、制御回路５０は、第２領域Ａ２２のスイッチング素子６０のみに接続されるゲート配線Ｇ１と、第２領域Ａ２２のスイッチング素子６０のみに接続されるソース配線Ｓ１を電気的にフローティング状態に制御する。
【００６１】
第３の実施の形態では、電気的にフローティング状態にある非表示領域Ａ２の画素電極６２がノイズなどにより帯電し、画素電極６２と共通電極６４との電位差が閾値電圧Ｖｔｈ以上になった場合、この画素Ｐ１は黒色より輝度が高まる。また、この画素電極６２の電荷が、この画素電極６２に隣接する黒色の画素Ｐ１の画素電極６２の電界に影響を与え、隣接する画素Ｐ１で光漏れが生じて黒色より輝度が高まる可能性がある。ノイズなどにより帯電した画素電極６２が表示領域Ａ１に隣接する場合、この画素電極６２に隣接する表示領域Ａ１の画素Ｐ１で黒色より輝度が高まり得る。
【００６２】
これに対して本実施の形態では、第１領域Ａ２１において、黒色になるよう各画素電極６２と共通電極６４との電位差が制御されるので、ノイズなどが加えられても黒色より輝度が高まり難い。そのため、第１領域Ａ２１に隣接する表示領域Ａ１の画素Ｐ１においても、黒色を維持できる。よって、ノイズなどが加えられても黒色の表示が乱され難い領域を第３の実施の形態より広くできる。
【００６３】
（第５の実施の形態）
第５の実施の形態では、非表示領域Ａ２にはスイッチング素子６０が設けられないことが第２の実施の形態と異なる。以下、第２の実施の形態との相違点を中心に説明する。
【００６４】
図１２（ａ）は、第５の実施の形態に係る薄膜トランジスタ基板４２の一部の平面図であり、図１２（ｂ）は、図１２（ａ）のＥ−Ｅ線に沿った縦断面図である。非表示領域Ａ２にはスイッチング素子６０が非配置である。具体的には、非表示領域Ａ２にはチャネル層７２が非配置である。図示する例ではソース電極７３とドレイン電極７４は配置されているが、これらも非配置としてもよい。
【００６５】
非表示領域Ａ２のみに配置されスイッチング素子６０に接続されないゲート配線Ｇ１およびソース配線Ｓ１は、制御回路５０に接続されなくてよい。これにより、制御回路５０までの配線の数を削減できる。非表示領域Ａ２のみに配置されスイッチング素子６０に接続されないゲート配線Ｇ１およびソース配線Ｓ１も非配置としてもよい。
【００６６】
本実施の形態によれば、スイッチング素子６０のチャネル層７２をパターニングする面積が小さくなることから、歩留まりを向上できる。
【００６７】
（第６の実施の形態）
第６の実施の形態では、非表示領域Ａ２がブラックマトリクス層で遮光されることが第４の実施の形態と異なる。以下、第４の実施の形態との相違点を中心に説明する。
【００６８】
図１３（ａ）は、第６の実施の形態に係るカラーフィルタ４６の一部の平面図であり、図１３（ｂ）は、図１３（ａ）のＦ−Ｆ線に沿った縦断面図である。図１３（ａ）は、図４の領域Ａ１０をより広くした領域に対応し、背面側から見た図である。
【００６９】
カラーフィルタ４６は、透明な基材９０と、ブラックマトリクス層９２と、複数の着色層９４と、透明な保護層９６とを有する。図１３（ａ）において、保護層９６は省略されている。
【００７０】
基材９０の背面側に、遮光機能を有するブラックマトリクス層９２が配置される。ブラックマトリクス層９２は、表示領域Ａ１にマトリクス状に配置された複数の画素開口ＯＰ１、および、非表示領域Ａ２に配置された遮光部９８を有する。ブラックマトリクス層９２は、非表示領域Ａ２に画素開口ＯＰ１が非配置であるともいえる。複数の画素開口ＯＰ１は、複数の画素Ｐ１に１対１に対応して配置される。複数の着色層９４は、たとえば赤色、緑色、青色の着色層を含み、複数の画素開口ＯＰ１内に配置される。保護層９６は、ブラックマトリクス層９２と複数の着色層９４の背面側に配置される。
【００７１】
非表示領域Ａ２では、液晶層４４の液晶分子の状態によらず遮光部９８により遮光されるので、黒色になる。そのため、非表示領域Ａ２と背景領域との間の黒色の色差を低減できる。また、表示領域Ａ１と非表示領域Ａ２は１つの液晶表示パネル２２内に存在するので、これらの領域の境界に視認されうる物理的な段差が存在しない。よって、シームレスな黒表示が可能となり、デザイン性を向上できる。
【００７２】
制御回路５０は、第４の実施の形態の制御を行う。第１領域Ａ２１では、各画素電極６２と共通電極６４との電位差が制御されるので、ノイズなどが加えられても画素電極６２の電圧は変化し難い。そのため、第１領域Ａ２１に隣接する表示領域Ａ１の画素Ｐ１において、黒色を維持できる。
【００７３】
第１領域Ａ２１において各画素電極６２を電気的にフローティング状態に制御したと仮定した場合、第４の実施の形態で述べたように、表示領域Ａ１に隣接する非表示領域Ａ２の画素電極６２がノイズなどにより帯電すると、この画素電極６２に隣接する表示領域Ａ１の画素Ｐ１で黒色より輝度が高まる可能性がある。非表示領域Ａ２は遮光部９８により黒色に視認されるため、非表示領域Ａ２に隣接する表示領域Ａ１の画素Ｐ１の輝度上昇が目立ちやすい。本実施の形態では、このような表示領域Ａ１の背景領域の輝度上昇を抑制できる。
【００７４】
なお、第２領域Ａ２２においてスイッチング素子６０は非配置でもよい。これにより、歩留まりを向上でき、制御を簡素化することもできる。
【００７５】
（第７の実施の形態）
第７の実施の形態では、非表示領域Ａ２の共通電極６４にはスリットＳＬ１が存在しないことが第１の実施の形態と異なる。以下、第１の実施の形態との相違点を中心に説明する。
【００７６】
図１４は、第７の実施の形態に係る薄膜トランジスタ基板４２の一部の平面図である。非表示領域Ａ２において共通電極６４と画素電極６２にスリットＳＬ１が非配置である。表示領域Ａ１において共通電極６４にスリットＳＬ１が配置される。既述の通り、画素電極６２は、共通電極６４より液晶層４４側に配置されてもよい。この場合、表示領域Ａ１において画素電極６２にスリットＳＬ１が配置される。つまり、表示領域Ａ１において共通電極６４と画素電極６２のうち液晶層４４側に位置にするものにスリットＳＬ１が配置される。
【００７７】
制御回路５０は、表示領域Ａ１にメータ画像を表示させる場合、非表示領域Ａ２の各画素電極６２に接続されるスイッチング素子６０を非導通に制御する。
【００７８】
本実施の形態によれば、非表示領域Ａ２において画素電極６２はスリットＳＬ１を有さないので、非表示領域Ａ２において共通電極６４と画素電極６２との間の電界は液晶層４４に実質的に印加されない。よって、非表示領域Ａ２は黒色で表示されるので、非表示領域Ａ２と背景領域との間の黒色の色差を低減できる。
【００７９】
（第７の実施の形態の変形例）
第７の実施の形態に第４の実施の形態を組み合わせてもよい。制御回路５０は、第４の実施の形態の制御を行う。第１領域Ａ２１では、各画素電極６２と共通電極６４との電位差が制御されるので、ノイズなどが加えられても画素電極６２の電圧は変化し難い。そのため、第１領域Ａ２１に隣接する表示領域Ａ１の画素Ｐ１において、黒色を維持できる。
【００８０】
第７の実施の形態では、表示領域Ａ１に隣接する非表示領域Ａ２の画素電極６２がノイズなどにより帯電すると、この画素電極６２に隣接する表示領域Ａ１の画素Ｐ１で黒色より輝度が高まる可能性がある。非表示領域Ａ２はスリットＳＬ１が無いことで黒色に視認されるため、非表示領域Ａ２に隣接する表示領域Ａ１の画素Ｐ１の輝度上昇が目立ちやすい。本実施の形態では、このような表示領域Ａ１の背景領域の輝度上昇を抑制できる。
【００８１】
なお、第２領域Ａ２２においてスイッチング素子６０は非配置でもよい。これにより、歩留まりを向上でき、制御を簡素化することもできる。
【００８２】
以上、本開示について、実施の形態をもとに説明した。この実施の形態は例示であり、それらの各構成要素あるいは各処理プロセスの組合せにいろいろな変形例が可能なこと、また、そうした変形例も本開示の範囲にあることは当業者に理解されるところである。
【００８３】
本開示の一態様に係る表示装置は、
液晶表示パネルと、
開口部を有するフレームと、
を備え、
前記液晶表示パネルは、
前記開口部内に配置され、当該開口部より小さい表示領域と、
前記表示領域と前記開口部の縁との間に配置され、当該表示領域に隣接する非表示領域と、
前記表示領域と前記非表示領域に配置された複数の画素電極と、
前記複数の画素電極に向かい合う共通電極と、
前記複数の画素電極と前記共通電極に重なる液晶層と、
を有し、
前記非表示領域において、各画素電極と前記共通電極との電位差は、前記液晶層の液晶分子の配向特性に基づいて規定された閾値電圧より小さい。
この態様によると、非表示領域は黒色で表示されるので、表示領域のうち非表示領域に隣接する背景領域が黒色で表示される場合、非表示領域と背景領域との間の黒色の色差を低減できる。
【００８４】
本開示の一態様に係る表示装置において、例えば、
前記液晶表示パネルは、
第１方向に延びる複数のゲート配線と、
前記第１方向に交差する第２方向に延びる複数のソース配線と、
ゲート配線、ソース配線および画素電極にそれぞれが接続される複数のスイッチング素子と、
を有し、
制御回路により、ゲート配線とソース配線に制御信号が供給され、前記非表示領域において、各画素電極と前記共通電極との電位差が前記閾値電圧より小さく制御される、としてもよい。
この場合、非表示領域のサイズを制御できる。
【００８５】
本開示の一態様に係る表示装置において、例えば、
前記制御回路により、（１）前記表示領域のうち前記非表示領域に隣接する領域において、各画素電極と前記共通電極との電位差は前記閾値電圧より小さい第１電圧に制御され、（２）前記非表示領域において、各画素電極と前記共通電極との電位差は前記第１電圧より小さい第２電圧に制御される、としてもよい。
この場合、表示装置の構成の自由度を向上できる。
【００８６】
本開示の一態様に係る表示装置において、例えば、
前記制御回路により、前記表示領域のうち前記非表示領域に隣接する領域、および、当該非表示領域において、各画素電極と前記共通電極との電位差は前記閾値電圧より小さい所定電圧に制御される、としてもよい。
この場合、非表示領域と背景領域との間の黒色の色差をより低減できる。
【００８７】
本開示の一態様に係る表示装置において、例えば、
前記液晶表示パネルは、
前記共通電極に共通電圧を供給する共通配線を有し、
前記非表示領域の各画素電極は、導電性部材により前記共通配線に接続されている、としてもよい。
この場合、非表示領域のスイッチング素子を制御する必要がないため、消費電力を低減できる。制御を簡素化することもできる。
【００８８】
本開示の一態様に係る表示装置において、例えば、
前記非表示領域の各画素電極は、導電性部材により前記共通電極に接続されている、としてもよい。
この場合、非表示領域のスイッチング素子を制御する必要がないため、消費電力を低減できる。制御を簡素化することもできる。
【００８９】
本開示の一態様に係る表示装置において、例えば、
前記液晶表示パネルは、
第１方向に延びる複数のゲート配線と、
前記第１方向に交差する第２方向に延びる複数のソース配線と、
ゲート配線、ソース配線、および、前記表示領域の画素電極にそれぞれが接続される複数のスイッチング素子と、
を有し、
前記非表示領域にはスイッチング素子が非配置である、としてもよい。
この場合、スイッチング素子をパターニングする面積が小さくなることから、歩留まりを向上できる。
【００９０】
本開示の一態様に係る表示装置において、例えば、
前記液晶表示パネルは、
第１方向に延びる複数のゲート配線と、
前記第１方向に交差する第２方向に延びる複数のソース配線と、
ゲート配線、ソース配線および画素電極にそれぞれが接続される複数のスイッチング素子と、
を有し、
制御回路により、前記非表示領域の各画素電極に接続されるスイッチング素子が非導通に制御される、
としてもよい。
この場合、非表示領域のスイッチング素子が導通しないため、消費電力を低減できる。制御を簡素化することもできる。
【００９１】
本開示の一態様に係る表示装置において、例えば、
前記液晶表示パネルは、
第１方向に延びる複数のゲート配線と、
前記第１方向に交差する第２方向に延びる複数のソース配線と、
ゲート配線、ソース配線および画素電極にそれぞれが接続される複数のスイッチング素子と、
を有し、
前記非表示領域は、前記表示領域に隣接する第１領域と、前記第１領域と前記開口部の縁との間の第２領域とを含み、
制御回路により、ゲート配線とソース配線に制御信号が供給され、（１）前記第１領域の各画素電極と前記共通電極との電位差が前記閾値電圧より小さく制御され、（２）前記第２領域の各画素電極に接続されるスイッチング素子が非導通に制御される、としてもよい。
この場合、ノイズなどが加えられても黒色の表示が乱され難い領域をより広くできる。
【００９２】
本開示の一態様に係る表示装置において、例えば、
前記制御回路により、（１）前記表示領域のうち前記非表示領域に隣接する領域において、各画素電極と前記共通電極との電位差は前記閾値電圧より小さい第１電圧に制御され、（２）前記第１領域において、各画素電極と前記共通電極との電位差は前記第１電圧より小さい第２電圧に制御される、としてもよい。
この場合、表示装置の構成の自由度を向上できる。
【００９３】
本開示の一態様に係る表示装置は、
液晶表示パネルと、
開口部を有するフレームと、
を備え、
前記液晶表示パネルは、
前記開口部内に配置され、当該開口部より小さい表示領域と、
前記表示領域と前記開口部の縁との間に配置され、当該表示領域に隣接する非表示領域と、
前記表示領域と前記非表示領域に配置された複数の画素電極と、
前記複数の画素電極に向かい合う共通電極と、
前記複数の画素電極と前記共通電極に重なる液晶層と、
前記表示領域に複数の画素開口が配置され、前記非表示領域に画素開口が非配置であるブラックマトリクス層と、前記ブラックマトリクス層の前記複数の画素開口内に配置された複数の着色層と、を有するカラーフィルタと、
を有し、
前記非表示領域は、前記表示領域に隣接する第１領域と、前記第１領域と前記開口部の縁との間の第２領域とを含み、
前記第１領域において、各画素電極と前記共通電極との電位差は、前記液晶層の液晶分子の配向特性に基づいて規定された閾値電圧より小さい。
この態様によると、非表示領域は黒色で表示されるので、表示領域のうち非表示領域に隣接する背景領域が黒色で表示される場合、非表示領域と背景領域との間の黒色の色差を低減できる。また、第１領域では、各画素電極と共通電極との電位差が制御されるので、表示領域の背景領域の輝度上昇を抑制できる。
【００９４】
本開示の一態様に係る表示装置は、
液晶表示パネルと、
開口部を有するフレームと、
を備え、
前記液晶表示パネルは、
前記開口部内に配置され、当該開口部より小さい表示領域と、
前記表示領域と前記開口部の縁との間に配置され、当該表示領域に隣接する非表示領域と、
前記表示領域と前記非表示領域に配置された複数の画素電極と、
前記複数の画素電極に向かい合う共通電極と、
前記複数の画素電極と前記共通電極に重なる液晶層と、
を有し、
前記表示領域において前記共通電極と画素電極のうち前記液晶層側に位置にするものにスリットが配置され、
前記非表示領域において前記共通電極と画素電極にスリットが非配置である。
この態様によると、非表示領域は黒色で表示されるので、表示領域のうち非表示領域に隣接する背景領域が黒色で表示される場合、非表示領域と背景領域との間の黒色の色差を低減できる。
【００９５】
本開示の一態様に係る表示装置において、例えば、
前記液晶表示パネルは、
第１方向に延びる複数のゲート配線と、
前記第１方向に交差する第２方向に延びる複数のソース配線と、
ゲート配線、ソース配線および画素電極にそれぞれが接続される複数のスイッチング素子と、
を有し、
前記非表示領域は、前記表示領域に隣接する第１領域と、前記第１領域と前記開口部の縁との間の第２領域とを含み、
制御回路により、ゲート配線とソース配線に制御信号が供給され、前記第１領域において、各画素電極と前記共通電極との電位差が、前記液晶層の液晶分子の配向特性に基づいて規定された閾値電圧より小さく制御される、としてもよい。
この場合、第１領域では、各画素電極と共通電極との電位差が制御されるので、表示領域の背景領域の輝度上昇を抑制できる。
【００９６】
本開示の一態様に係る表示装置において、例えば、
前記液晶表示パネルを照明する複数の光源を備え、
前記制御回路により、前記表示領域を照明する光源が点灯され、前記非表示領域を照明する光源が消灯される、としてもよい。
この場合、消費電力を低減できる。
【００９７】
本開示の一態様に係る表示装置において、例えば、
前記液晶表示パネルの前記表示領域を照明する複数の光源を備え、
光源は、前記非表示領域を照明する位置に非配置である、としてもよい。
この場合、非表示領域も照明する場合と比較して、光源の数を削減でき、消費電力も低減できる。
【符号の説明】
【００９８】
１…表示装置、Ａ１…表示領域、Ｇ１…ゲート配線、ＯＰ１…画素開口、Ｐ１…画素、Ｓ１…ソース配線、ＳＬ１…スリット、Ａ２…非表示領域、１０…バイザ、１２…開口部、１４…縁、２０…表示モジュール、Ａ２１…第１領域、２２…液晶表示パネル、Ａ２２…第２領域、３０…光源、４４…液晶層、４６…カラーフィルタ、５０…制御回路、６０…スイッチング素子、６２…画素電極、６４…共通電極、６６…共通配線、８０…導電性部材、９２…ブラックマトリクス層、９４…着色層。
【図１】
2020194109.tif 000003
【図２】
2020194109.tif 000004
【図３】
2020194109.tif 000005
【図４】
2020194109.tif 000006
【図５】
2020194109.tif 000007
【図６】
2020194109.tif 000008
【図７】
2020194109.tif 000009
【図８】
2020194109.tif 000010
【図９】
2020194109.tif 000011
【図１０】
2020194109.tif 000012
【図１１】
2020194109.tif 000013
【図１２】
2020194109.tif 000014
【図１３】
2020194109.tif 000015
【図１４】
2020194109.tif 000016